(57)【特許請求の範囲】
【請求項１】
少なくとも一つ以上の通信端末機と通信する電話帳管理装置であって、
前記通信端末機毎に対応する電話帳データ内に構成される、予め設定された所定の登録件数からなる電話番号データを記録するための電話番号記録手段と、
前記予め設定された所定の登録件数からなる電話番号データの登録件数の再設定をする再設定手段と、
前記電話番号記録手段の記録容量を超えずに、前記再設定をされた登録件数に応じて、前記通信端末機の電話帳データの数を制御する制御手段とを備え、
前記電話番号記録手段は、前記制御手段により前記通信端末機の電話帳データの数が変更されたときに、変更前に既に記録した電話番号が、変更後のいずれか１つの前記電話帳データに含まれるようにする
ことを特徴とする電話帳管理装置。
【請求項２】
前記再設定手段は、更に、前記電話帳管理装置を起動した際に、前記予め設定された所定の登録件数のままとするかまたは、前記登録件数を再設定するかのいずれかを選択するものであることを特徴とする請求項１記載の電話帳管理装置。
【請求項３】
前記再設定手段は、更に、前記電話帳管理装置を稼働中に、前記登録件数を再設定するものであることを特徴とする請求項１記載の電話帳管理装置。
【請求項４】
前記通信端末機が、該通信端末機に対応する前記電話帳データにアクセスできるように通信することを特徴とする請求項１から３いずれか１項記載の電話帳管理装置。
【請求項５】
少なくとも一つ以上の通信端末機と通信する電話帳管理装置の電話帳管理方法であって、
前記通信端末機毎に対応する電話帳データ内に構成される、予め設定された所定の登録件数からなる電話番号データを記録するステップと、
前記予め設定された所定の登録件数からなる電話番号データの登録件数を再設定をするステップと、
前記電話帳管理装置の電話番号記録手段の記録容量を超えずに、前記再設定をされた登録件数に応じて、前記通信端末機の電話帳データの数を制御するステップと、
前記通信端末機の電話帳データの数が変更されたときに、変更前に既に記録した電話番号が、変更後のいずれか１つの前記電話帳データに含まれるようにするステップと
を有することを特徴とする電話帳管理方法。
【請求項６】
少なくとも一つ以上の通信端末機と通信する電話帳管理装置の電話帳管理プログラムであって、
前記電話帳管理装置に、
前記通信端末機毎に対応する電話帳データ内に構成される、予め設定された所定の登録件数からなる電話番号データを記録する機能と、
前記予め設定された所定の登録件数からなる電話番号データの登録件数の再設定をする機能と、
前記電話帳管理装置の電話番号記録手段の記録容量を超えずに、前記再設定をされた登録件数に応じて、前記通信端末機の電話帳データの数を制御する機能と、
前記通信端末機の電話帳のデータの数が変更されたときに、変更前に既に記録した電話番号が、変更後のいずれか１つの前記電話帳データに含まれるようにする機能と
を実行させることを特徴とする電話帳管理プログラム。
【請求項７】
請求項６に記載の電話帳管理プログラムを記録した、コンピュータによって読み取り可能なことを特徴とするプログラム記録媒体。
【発明の詳細な説明】
【技術分野】
【０００１】
本発明は電話帳管理装置および電話帳管理方法並びに電話帳管理プログラムおよびプログラム記録媒体に関し、特に予め設定された電話番号の登録件数を制御する電話帳管理装置および電話帳管理方法並びに電話帳管理プログラムおよびプログラム記録媒体に関するものである。
【背景技術】
【０００２】
従来、複数の通信端末機を、公衆通信回線網に接続して使用する際の交換装置である電話帳管理装置（例えば、構内交換装置）には、異なる通信端末機それぞれに対応した電話帳および該電話帳内に構成される電話番号を記録できるものがある。一方、通信端末機には、電話帳管理装置にアクセスすることにより、電話番号の参照、表示、検索等を行うことができる。
【０００３】
電話帳管理サーバが、電話帳マスターデータを記憶し、電話帳管理サーバは、電話帳マスターデータから複数のフォーマットに対応した電話帳データを作成して通信端末機に送信する技術が、特許文献１に提案されている。
【先行技術文献】
【特許文献】
【０００４】
【特許文献１】特開２００３−２５９０３１号公報
【発明の概要】
【発明が解決しようとする課題】
【０００５】
しかしながら、特許文献１に記載された電話帳管理サーバでは、予め記録している電話帳件数と、その電話帳に記録できる電話番号の数が予め決まっていて、電話帳に記録できる電話番号の数を増加させることができない。このように、特許文献１に記載された電話帳管理サーバには、解決するべき課題があった。
【０００６】
そこで、本発明は、上記課題を解決し、電話帳管理装置の記憶容量を超えない範囲において電話帳内に設定できる電話番号の数の増加を可能とする電話帳管理装置および電話帳管理方法並びに電話帳管理プログラムおよびプログラム記録媒体を提供することを目的とする。
【課題を解決するための手段】
【０００７】
前述の課題を解決するため、本発明による話帳管理装置および電話帳管理方法並びに電話帳管理プログラムおよびプログラム記録媒体は、次のような特徴的な構成を採用している。下記（１）、（５）、（６）及び（７）なる番号は請求項の項番号にそれぞれ対応している。
（１）少なくとも一つ以上の通信端末機と通信する電話帳管理装置であって、
前記通信端末機毎に対応する電話帳データ内に構成される、予め設定された所定の登録件数からなる電話番号データを記録するための電話番号記録手段と、
前記予め設定された所定の登録件数からなる電話番号データの登録件数の再設定をする再設定手段と、
前記電話番号記録手段の記録容量を超えずに、前記再設定をされた登録件数に応じて、前記通信端末機の電話帳データの数を制御する制御手段とを備えた電話帳管理装置。
（５）少なくとも一つ以上の通信端末機と通信する電話帳管理装置の電話帳管理方法であって、
前記通信端末機毎に対応する電話帳データ内に構成される、予め設定された所定の登録件数からなる電話番号データを記録するステップと、
前記予め設定された所定の登録件数からなる電話番号データの登録件数の再設定をするステップと、
前記電話帳管理装置の電話番号記録手段の記録容量を超えずに、前記再設定をされた登録件数に応じて、前記通信端末機の電話帳データの数を制御するステップとを有する電話帳管理方法。
（６）少なくとも一つ以上の通信端末機と通信する電話帳管理装置の電話帳管理プログラムであって、
前記電話帳管理装置に、
前記通信端末機毎に対応する電話帳データ内に構成される、予め設定された所定の登録件数からなる電話番号データを記録する機能と、
前記予め設定された所定の登録件数からなる電話番号データの登録件数の再設定をする機能と、
前記電話帳管理装置の電話番号記録手段の記録容量を超えずに、前記再設定をされた登録件数に応じて、前記通信端末機の電話帳データの数を制御する機能とを実行させる電話帳管理プログラム。
（７）上記（６）の電話帳管理プログラムを記録した、コンピュータによって読み取り可能なプログラム記録媒体。
【発明の効果】
【０００８】
本発明の電話帳管理装置および電話帳管理方法並びに電話帳管理プログラムおよびプログラム記録媒体によれば、通信端末機毎の電話帳データを構成する、予め設定された所定の数からなる電話番号データを、電話帳管理装置の電話番号記録手段に記録し、予め設定された所定の数の数値を再設定し、電話帳管理装置の電話番号記録手段の記録容量を超えずに、再設定された数値に応じて、通信端末機の電話帳データの数を制御することにより、電話番号記録手段の記録容量を超えることなく、記録できる電話番号の増減を行うことができる。
【図面の簡単な説明】
【０００９】
【図１】本発明の実施形態における電話帳管理装置の構成を表す機能ブロック図である。
【図２】本発明の実施形態における記録できる電話番号の数を制御し、所望の電話番号を検索する手順を示すフローチャートである。
【図３】本発明の実施形態における電話帳の構成を示すイメージ図（再設定前）である。
【図４】本発明の実施形態における電話帳の構成を示すイメージ図（再設定後）である。
【発明を実施するための最良の形態】
【００１０】
以下、本発明の実施の形態について、図面を参照しながら説明する。図１は、本発明の実施形態における電話帳管理装置１の構成を表す機能ブロック図である。図１に示す電話帳管理装置１は、少なくとも一つ以上の通信端末機１００と通信する。この電話帳管理装置１は、通信端末機１００毎に対応する電話帳データ内に構成される、予め設定された所定の登録件数からなる電話番号データを記録するための電話番号記録手段１０と、予め設定された所定の登録件数からなる電話番号データの登録件数を再設定する再設定手段２０と、電話番号記録手段１０の記録容量を超えずに、再設定された登録件数に応じて、通信端末機の電話帳データの数を制御する制御手段３０とを有する。
【００１１】
電話番号記録手段１０は、それぞれの通信端末機１００に対応した電話帳とその電話帳に記録される複数の電話番号を記録するためのメモリを備える。
【００１２】
再設定手段２０は、予め設定された所定の登録件数からなる電話番号の記録できる登録件数を再設定するものである。再設定手段２０は、更に、電話帳管理装置１を起動した際に、予め設定された所定の登録件数または、再設定された登録件数のいずれかを選択するものであってもよい。また、再設定手段２０は、電話帳管理装置１を稼働中に、登録件数を再設定するものであってもよい。再設定手段２０は、具体的にはボタン操作による指令や、タッチパネル機能を備えたディスプレイからユーザによる指令によって登録件数の再設定をすることを可能とする。再設定手段２０は、ユーザからの指示指令に応じて、再設定を可能とする。例えば、再設定手段２０は、具体的には構内交換装置のボタンに該当するものであってもよい。
【００１３】
制御手段３０は、電話番号記録手段１０の記録容量を超えずに、再設定手段２０により再設定された登録件数に応じて、通信端末機の電話帳データの数を制御するものである。
【００１４】
ＣＰＵ４０は、通信端末機１００の指令により、電話帳内に構成される、電話番号の読み検索、グループ検索、電話番号検索、番号メモリ検索を行うことを可能とする。アクセス手段５０は、通信端末機１００と、電話管理帳装置１との通信接続を可能とするものである。
【００１５】
インターネット６０は、電話帳管理装置１が、複数の通信端末機１００を、ＩＰ電話網に接続するための通信手段である。本実施形態ではインターネットによるＩＰ電話を想定しているが、公衆通信回線（通常の電話回線）であってもよい。
【００１６】
通信端末機１００は、例えば、携帯電話であるが、ＰＨＳ、携帯電話機能付きコンピュータ等であってもよい。また、有線電話端末であってもよい。
【００１７】
なお、図１のような電話帳管理装置１の構成は、補助記憶装置（不図示）に読み込まれた電話帳管理プログラムをコンピュータ上で実行することにより実現される。このとき、この電話帳管理プログラムは、ＣＤ−ＲＯＭ等の記憶媒体に記憶され、もしくはインターネット等のネットワークを介して配布され、コンピュータにインストールされるものである。
【００１８】
電話帳管理装置１は、例えば、通信端末機１００に対応する電話帳を１００グループまで割り付けることができるが、電話番号記録手段１０は、全ての電話帳に記録できる電話番号３００００件分しか記録できない場合、電話帳は１００グループあることから、それぞれの電話帳毎に３００件の電話番号を保有することができることになる。
【００１９】
本発明の実施形態によれば、再設定手段２０により、電話番号を６００件に再設定することにより、電話帳を５０グループに設定することができる。また、その逆に再設定手段２０は、電話帳を５０グループに設定することにより、電話番号を６００件に再設定することができる。電話帳管理装置１は、電話番号記録手段１０のメモリの可変により記録された電話帳および電話番号のデータを消すことなく、電話帳のグループ数および／または当該電話帳に対応する電話番号の数を変更するように制御できる。
【００２０】
例えば、電話番号記録手段１０が、電話帳１００グループおよび電話帳毎に３００件の電話番号を記録できるように予め設定されている場合においては、電話帳グループ［０１］には番号メモリ［０］〜［２９９］記録できる（番号メモリ１つにつき、１件の電話番号が登録できる）。電話帳グループ［１００］には番号メモリ［０］〜［２９９］記録できる（番号メモリ１つにつき、１件の電話番号が登録できる）。
【００２１】
また、例えば、電話番号記録手段１０が、電話帳５０グループおよび電話帳毎に６００件の電話番号を記録できるように予め設定されている場合、電話帳グループ［０１］には番号メモリ［０］〜［５９９］記録できる（番号メモリ１つにつき、１件の電話番号が登録できる）。電話帳グループ［５０］には番号メモリ［０］〜［５９９］記録できる（番号メモリ１つにつき、１件の電話番号が登録できる）。
【００２２】
ＣＰＵ４０は、通信端末機１００の指令に応じて、電話番号の検索を可能とする。ＣＰＵ４０は、電話帳内に構成される電話番号を検索する際、電話帳１００グループおよび電話帳毎に３００件の電話番号を記録できるように予め設定されている場合であろうが、電話帳５０グループおよび電話帳毎に６００件の電話番号を記録できるように予め設定されている場合であろうがどちらも制御手段３０により電話番号記録手段１０のメモリが制御され、データの並べ替え処理が行われる。そのため、通信端末機１００は、アクセス手段５０を介し、ＣＰＵ４０に対して、電話帳および電話番号の読み検索、グループ検索、電話番号検索、番号メモリ検索が可能となる。電話帳管理装置１の電話番号記録手段１以外の他の機能のメモリ容量に影響を及ぼすことがない。
【００２３】
なお、本発明の実施形態では、電話帳管理装置１は構内交換装置として説明するが、電話帳管理装置１は、サーバ、携帯端末型のコンピュータ等であってもよい。
【００２４】
図２は、電話帳管理装置１が、記録できる電話番号の登録件数を制御し、通信端末機１００の指令に応じて所望の電話番号を検索する手順を示したフローチャートである。
【００２５】
まず、ユーザは、再設定手段２０を介して、予め定められている電話番号データの所定の数の登録件数を再設定するか否かを決める（Ｓ１）。再設定する場合（Ｓ１；ＹＥＳ）、制御手段３０は、電話番号記録手段の記録容量を超えずに、再設定された数値に応じて、通信端末機の電話帳データの数を制御する（Ｓ２）。例えば、電話番号記録手段１０の初期設定では、図３に示すように電話帳グループ［１００］で番号メモリ［３００］となっている場合、電話帳管理装置１を起動した際に、初期設定のままとするか、または、再設定手段２０により再設定された登録件数のいずれかを選択することができる。再設定する場合、図４に示すように番号メモリ［６００］と設定することで、制御手段３０が、電話帳グループ［５０］となるように制御する。
【００２６】
また、一度初期設定のまま利用し、その後ユーザは、再設定手段２０を介して、電話帳管理装置１を稼働中に、図４に示すように番号メモリ［６００］と再設定することができる。同様に制御手段３０が、電話帳グループ［５０］となるように制御する。図３に示すように電話帳グループ［５１］（登録データＥ〜Ｆ）が図４に示す電話帳グループ［０１］の後ろに付加され、電話帳グループ［０１］のメモリ番号［３００］〜［５９９］となる。同様に、電話帳グループ［５２］は、図４の電話帳グループ［０２］の後ろに付加される。図３に示す電話帳グループ［１００］（登録データＧ〜Ｈ）は、図４に示す電話帳グループ［５０］の後ろに付加され、電話帳グル−プ［５０］のメモリ番号［３００］〜［５９９］となる。その他電話帳グループ［５３］〜[９９]については説明を省略する。逆に、図４から図３のような再設定の場合は、図４に示す電話帳グループ［０１］の後ろ半分（メモリ番号：［３００］〜［５９９］）が、図３に示す電話帳グループ［０１］のメモリ番号［０］０〜［２９９］になる。
【００２７】
なお、ユーザが、再設定手段２０を介して、電話帳グループ１つあたりに、６００件を超える番号メモリを再設定する場合、上記６００件を超えないように制御手段３０が制御してもよい。
【００２８】
一方、電話番号記録手段１０の初期設定では、電話帳グループ［５０］で番号メモリ［６００］となっている場合、電話帳管理装置１を起動した際に、初期設定のままとするか、または、再設定手段２０により再設定された数値のいずれかを選択することができる。再設定する場合、番号メモリ［３００］と設定することで、制御手段３０が、電話帳グループ［１００］となるように制御する。
【００２９】
なお、ユーザが再設定手段２０により、再設定しない場合（Ｓ１；ＮＯ）、処理は終了する。
【００３０】
次に、電話帳管理装置１は、通信端末機１００の指令に応じて、ＣＰＵ４０が電話番号の検索をするか否かを判断する（Ｓ３）。電話番号検索をする場合（Ｓ３；ＹＥＳ）、ＣＰＵ４０は、電話番号記録手段１０内に記録された電話番号（通信端末機に対応する電話帳に記録されたもの）を検索する（Ｓ４）。なお、検索をしない場合（Ｓ３；ＮＯ）、処理は終了する。
【００３１】
通信端末機１００は、検索した結果、希望した電話番号であるか否かを判断する（Ｓ５）。希望しない電話番号である場合（Ｓ５；ＮＯ）、データ検索を再度やり直す。一方、希望した電話番号である場合（Ｓ５；ＹＥＳ）、処理は終了する。
【００３２】
また、上述の実施形態では、ＣＰＵ４０は電話番号の検索を例として説明するが、それ以外に読み検索、電話帳グループ検索、メモリ番号検索を行ってもよい。更に、これらの検索を組み合わせることにより、所望の電話番号を検索してもよい。また、通信端末機１台に対して、電話帳管理装置１の単数の電話帳のみならず、複数の電話帳を利用できるようにしてもよい。
【００３３】
以上に説明したように、本発明の実施形態によれば、通信端末機毎の電話帳データを構成する、予め設定された所定の登録件数からなる電話番号データを、電話帳管理装置１の電話番号記録手段１０に記録し、予め設定された所定の登録件数を再設定し、電話帳管理装置の電話番号記録手段の記録容量を超えずに、再設定された登録件数に応じて、通信端末機の電話帳データの数を制御することにより、電話番号記録手段１０の記録容量を超えることなく、記録できる電話番号の増減を行うことができる。
【００３４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）、（５）、（６）及び（７）に加え、次のような構成として表現できる。下記（２）−（４）なる番号は、請求項の項番号にそれぞれ対応している。
（２）前記再設定手段は、更に、前記電話帳管理装置を起動した際に、前記予め設定された所定の登録件数のままとするか、または、前記登録件数を再設定するかのいずれかを選択するものである上記（１）の電話帳管理装置。
（３）前記再設定手段は、更に、前記電話帳管理装置を稼働中に、前記登録件数を再設定する上記（１）の電話帳管理装置。
（４）前記通信端末機が、該通信端末機に対応する前記電話帳データにアクセスできるように通信する上記（１）から（３）のいずれかの電話帳管理装置。
【符号の説明】
【００３５】
１      電話帳管理装置
１０    電話番号記録手段
２０    再設定手段
３０    制御手段
４０    ＣＰＵ
５０    アクセス手段
６０    インターネット
１００  通信端末機
【図１】
0005388195.tif 000002
【図２】
0005388195.tif 000003
【図３】
0005388195.tif 000004
【図４】
0005388195.tif 000005